(57)【特許請求の範囲】
【請求項１】
上面の中央に開放部を持ち、その開放部の両側に平板態のパネル構造体における底面の外縁を受ける受け面を備えた長手方向の端面が開放した断面形状が略Ｃ型の架台に、その開放した端面から二面の対向する脚の一端側が固定面で結合し、その両脚の自由端側に外方へ張出すフランジを有する固定金具を、その各フランジが前記架台の両受け面の背面に対向し、その固定面と各脚の大半が前記架台の開放部から突出するように挿通し、この固定金具の固定面に対向する押え部材を設けて両者間をねじ締結して、前記架台の受け面と前記押え部材とにより前記パネル構造体を挟持状態に固定するパネル構造体の固定装置にして、
その架台の前記各受け面の背面に近接する位置にその各受け面に対向し、受け面の背面との間に前記固定金具の前記各フランジの挿通を許容する案内部を形成する一連の張出しを形成するとともに、その架台の開放した端面には前記固定金具の前記各フランジが前記案内部以外の位置に挿通されることを妨害する誤挿入防止構造を設けたパネル構造体の固定装置。
【請求項２】
請求項１に記載のパネル構造体の固定装置であって、誤挿入防止構造が、張出しの張り出し長さと、案内部の高さとの関係により片側のフランジのみが案内部に係合する傾いた固定金具の姿勢では他方のフランジが他方の張出しの端面に当り、案内部へは挿入できない構成であるパネル構造体の固定装置。
【請求項３】
請求項１に記載のパネル構造体の固定装置であって、誤挿入防止構造が、開放した端面側の各張出しの端部をそれぞれ案内部の端が端面に向って拡開するように折曲げた構成であるパネル構造体の固定装置。
【請求項４】
請求項１に記載のパネル構造体の固定装置であって、誤挿入防止構造が、各張出しの内側の自由端側をそれぞれの案内部の内側部分が内側に向って拡開するように曲げ成形された構成であるパネル構造体の固定装置。
【請求項５】
請求項１に記載のパネル構造体の固定装置であって、誤挿入防止構造が、開放した端面の各張出しと架台の下面とに差渡し固定された封止板であるパネル構造体の固定装置。
【請求項６】
上面の中央に開放部を持ち、その開放部の両側に平板態のパネル構造体における底面の外縁を受ける受け面を備えた長手方向の端面が開放した断面形状が略Ｃ型の架台に、その開放した端面から二面の対向する脚の一端側が固定面で結合し、その両脚の自由端側に外方へ張出すフランジを有する固定金具を、その各フランジが前記架台の両受け面の背面に対向し、その固定面と各脚の大半が前記架台の開放部から突出するように挿通し、この固定金具の固定面に対向する押え部材を設けて両者間をねじ締結して、前記架台の受け面と前記押え部材とにより前記パネル構造体を挟持状態に固定するパネル構造体の固定装置にして、
その架台の前記受け面の片方の背面に近接する位置にその受け面に対向し、受け面の背面との間に前記固定金具の前記片方のフランジの挿通を許容する案内部を形成する一連の張出しを形成したパネル構造体の固定装置。
【請求項７】
上面の中央に開放部を持ち、その開放部の両側に平板態のパネル構造体における底面の外縁を受ける受け面を備えた長手方向の端面が開放した断面形状が略Ｃ型の架台に、その開放した端面から二面の対向する脚の一端側が固定面で結合し、その両脚の自由端側に外方へ張出すフランジを有する固定金具を、その各フランジが前記架台の両受け面の背面に対向し、その固定面と各脚の大半が前記架台の開放部から突出するように挿通し、この固定金具の固定面に対向する押え部材を設けて両者間をねじ締結して、前記架台の受け面と前記押え部材とにより前記パネル構造体を挟持状態に固定するパネル構造体の固定装置にして、
その固定金具の各フランジの自由端側を下側に曲げて各フランジの端面形状をそれぞれアングル状に構成し、前記架台の前記各受け面の背面側にその各受け面に対向し、受け面の背面との間に前記固定金具の前記各フランジの挿通を許容するアングル状の案内部を形成する一連の張出しを形成したパネル構造体の固定装置。
【請求項８】
上面の中央に開放部を持ち、その開放部の両側に平板態のパネル構造体における底面の外縁を受ける受け面を備えた長手方向の端面が開放した断面形状が略Ｃ型の架台に、その開放した端面から二面の対向する脚の一端側が固定面で結合し、その両脚の自由端側に外方へ張出すフランジを有する固定金具を、その各フランジが前記架台の両受け面の背面に対向し、その固定面と各脚の大半が前記架台の開放部から突出するように挿通し、この固定金具の固定面に対向する押え部材を設けて両者間をねじ締結して、前記架台の受け面と前記押え部材とにより前記パネル構造体を挟持状態に固定するパネル構造体の固定装置にして、
その架台の前記各受け面の背面側にその各受け面に対向し、受け面の背面との間に前記固定金具の前記各フランジの挿通を許容する案内部を形成する一連の張出しを形成するとともに、この張出し上に張出しを跨ぐように補強板を挿入したパネル構造体の固定装置。
【請求項９】
上面の中央に開放部を持ち、その開放部の両側に平板態のパネル構造体における底面の外縁を受ける受け面を備えた長手方向の端面が開放した断面形状が略Ｃ型の架台に、その開放した端面から二面の対向する脚の一端側が固定面で結合し、その両脚の自由端側に外方へ張出すフランジを有する固定金具を、その各フランジが前記架台の両受け面の背面に対向し、その固定面と各脚の大半が前記架台の開放部から突出するように挿通し、この固定金具の固定面に対向する押え部材を設けて両者間をねじ締結して、前記架台の受け面と前記押え部材とにより前記パネル構造体を挟持状態に固定するパネル構造体の固定装置にして、
その固定金具にフランジ間にわたり背面に突出するリブを形成し、前記架台の前記各受け面の背面側にその各受け面に対向し、受け面の背面との間に前記固定金具の前記各フランジの挿通を許容する案内部を形成する一連の張出しを形成したパネル構造体の固定装置。
【請求項１０】
上面の中央に開放部を持ち、その開放部の両側に平板態のパネル構造体における底面の外縁を受ける受け面を備えた長手方向の端面が開放した断面形状が略Ｃ型の架台に、その開放した端面から二面の対向する脚の一端側が固定面で結合し、その両脚の自由端側に外方へ張出すフランジを有する固定金具を、その各フランジが前記架台の両受け面の背面に対向し、その固定面と各脚の大半が前記架台の開放部から突出するように挿通し、この固定金具の固定面に対向する押え部材を設けて両者間をねじ締結して、前記架台の受け面と前記押え部材とにより前記パネル構造体を挟持状態に固定するパネル構造体の固定装置にして、
その固定金具の固定面にねじ締結するためのねじ棒を立設し、このねじ棒端からのナット締めにより、前記押え部材を締結するように構成し、前記架台の前記各受け面の背面側にその各受け面に対向し、受け面の背面との間に前記固定金具の前記各フランジの挿通を許容する案内部を形成する一連の張出しを形成したパネル構造体の固定装置。
【発明の詳細な説明】
【０００１】
【発明の属する技術分野】
本発明は、太陽光発電に使うソーラーモジュール等の平板態のパネル構造体を固定するための固定装置に関するものである。
【０００２】
【従来の技術】
平板態のパネル構造体である例えば太陽光発電に使うソーラーモジュールを、例えば屋根上に設置する場合、従来から屋根上に架台を設置し、この架台上に複数枚のソーラーモジュールを並べて固定手段により固定し、ソーラーモジュールの集合体を構成している。架台は、その殆どがアルミの押出し成形材により構成され、垂木状の瓦棒が屋根の傾斜に沿って平行に並んだ金属瓦棒葺き等の屋根構造の場合には、実開昭６０―５４０４８号公報に示されているような構造のものが、石綿瓦葺き等の屋根構造の場合には、特開平７―２０２２４２号公報や特開平８―２９６７９６号公報に示されているような構造のものが用いられてきた。
【０００３】
特開平７―２０２２４２号公報に示されている構造の架台は、図１７に示すような構造であり、金属瓦棒葺き等の屋根構造にも、石綿瓦葺き等の屋根構造にも取付けることができる。この架台３０は、端面形状が上面の中央に開放部３１を持つＣ型の角筒形状をした長尺の桟材で構成され、その開放部３１の両側にソーラーモジュール３２の枠部を受ける受け面３３が形成されている。架台３０自体は、図１７に示すように架台３０の下面に貫通孔３４を開け、この貫通孔３４を使って屋根構造の瓦棒や垂木等の下地にボルト・ナット３５等により締結するか、木ねじを直接架台３０の下面から下地にねじ込んで固定するかしている。
【０００４】
固定された架台３０へのソーラーモジュール３２の固定は、押え部材３６と固定金具３７とボルト３８とからなる固定手段により行なわれる。即ち、押え部材３６にボルト３８を通し、ボルト３８の先側に架台３０に対する固定機能を果たす固定金具３７をねじ嵌めして、架台３０の開放部３１から固定金具３７を架台３０の内部に挿入し、押え部材３６をソーラーモジュール３２の側部の掛止部に被着させてボルト３８を締込むことにより固定する。ボルト３８の締め増しとともに架台３０の内壁に端が当接し、回転の規制された固定金具３７は、ボルト３８の軸上を上方に移動していき、受け面３３の背面に当接して受け面３３上にソーラーモジュール３２が固定される。
【０００５】
このようなＣ型断面の架台３０には、上面の開放部３１がソーラーモジュール３２の固定に使う押え部材３６により閉止され、実開昭６０―５４０４８号公報や、特開平８―２９６７９６号公報に示されている架台と異なり架台３０内部に電気配線を収めることができる利点があるが、ボルト３８の締め込み時には押え部材３６により覆われボルト３８の先側の固定金具３７の様子が見えない。このため、架台３０の内部に電気配線がされているような場合には、固定金具３７が配線を引っ掛けていても分らず、配線を引っ掛けたまま固定され、配線を損傷してしまうようなことも起きる。
【０００６】
そこで、図１８に示すようにＣ型断面の架台３０に、その開放した端面から二面の対向する脚の一端側が固定面で結合し、その両脚の自由端側に外方へ張出すフランジ３９を有する固定金具３７を、その各フランジ３９が架台３０の両受け面３３の背面に対向し、その固定面と各脚の大半が架台３０の開放部３１から突出するように挿通し、この固定金具３７の固定面に押え部材３６側からボルト３８をねじ嵌めするパネル構造体の固定装置が開発されている。架台３０の各受け面３３の背面に近接する位置には、各受け面３３に対向し、受け面３３の背面との間に固定金具３７の各フランジ３９の挿通を許容する案内部４０を形成する一連の張出し４１が形成されている。この改良型の固定装置は固定金具３７を架台３０の端面からフランジ３９を案内部４０に通して所定位置に移動させて使用するものであり、架台３０内を固定金具３７が上下方向に動かないため、電気配線が架台３０の内部に配線されていても固定金具３７に引っ掛かったりすることはない。
【０００７】
【発明が解決しようとする課題】
上記した断面Ｃ型の架台３０による従来の改良型のパネル構造体の固定装置においては、図１９に示すように固定金具３７のフランジ３９の片方のみが案内部４０に係合し、他方のフランジ３９は張出し４１の下に外れているような正規でない誤った挿入状態になることがあり、一つでも誤った挿入状態のものがあれば、それより端面側に位置する全ての固定金具３７を外し、固定金具３７の挿入作業をやり直さなければならず、作業性が著しく損なわれるといった問題点がある。上述のような固定金具３７の誤挿入は、フランジ３９を挿通する案内部４０である隙間を極めて狭くすれば回避できるものの、案内部４０が狭いとフランジ３９を挿通し辛くなるばかりでなく、押出し成形により案内部４０を形出する際の金型の当該部が細くなり、十分な金型強度が得られないので得策ではない。
【０００８】
また、このパネル構造体の固定装置では、固定金具３７にボルト３８を挿通して締め込むが、押え部材３６で固定金具３７が隠れるため、ボルト３８の挿通がし難いといった問題点や、架台３０の上面の中央が開放しているため、積雪等による大きな荷重に対して十分な強度が得がたいといった問題点もある。
【０００９】
本発明は上記した従来の問題点を解消するためになされたものであり、その課題とするところは、請求項１から請求項７までに記載の各発明にあっては、内部に電気配線を収めることができる利点を持つ端面形状がＣ型の架台と固定金具を使ったパネル構造体の固定装置の固定金具の誤挿入を回避し作業性の良いものに改善することであり、請求項８の発明にあっては、端面形状がＣ型の架台と固定金具を使ったパネル構造体の固定装置の強度アップを推進することであり、請求項９に記載の発明にあっては、端面形状がＣ型の架台と固定金具を使ったパネル構造体の固定装置における固定金具の強度と操作性を改善することであり、請求項１０に記載の発明にあっては、端面形状がＣ型の架台と固定金具を使ったパネル構造体の固定装置の固定作業の平易化を推進することである。
【００１０】
【課題を解決するための手段】
前記課題を達成するために請求項１の発明は、上面の中央に開放部を持ち、開放部の両側に平板態のパネル構造体における底面の外縁を受ける受け面を備えた長手方向の端面が開放した断面形状が略Ｃ型の架台に、その開放した端面から二面の対向する脚の一端側が固定面で結合し、その両脚の自由端側に外方へ張出すフランジを有する固定金具を、各フランジが架台の両受け面の背面に対向し、その固定面と各脚の大半が架台の開放部から突出するように挿通し、固定金具の固定面に対向する押え部材を設けて両者間をねじ締結して、架台の受け面と押え部材とによりパネル構造体を挟持状態に固定するパネル構造体の固定装置に対して、
その架台の各受け面の背面に近接する位置に各受け面に対向し、受け面の背面との間に固定金具の各フランジの挿通を許容する案内部を形成する一連の張出しを形成するとともに、架台の開放した端面には固定金具の各フランジが案内部以外の位置に挿通されることを妨害する誤挿入防止構造を設ける手段を採用する。
【００１１】
前記課題を達成するために請求項２の発明は、請求項１に係る前記手段における誤挿入防止構造を、張出しの張り出し長さと、案内部の高さとの関係により片側のフランジのみが案内部に係合する傾いた固定金具の姿勢では他方のフランジが他方の張出しの端面に当り、案内部へは挿入できない構成とする手段を採用する。
【００１２】
前記課題を達成するために請求項３の発明は、請求項１に係る前記手段における誤挿入防止構造を、開放した端面側の各張出しの端部をそれぞれ案内部の端が端面に向って拡開するように折曲げて構成する手段を採用する。
【００１３】
前記課題を達成するために請求項４の発明は、請求項１に係る前記手段における誤挿入防止構造を、各張出しの内側の自由端側をそれぞれの案内部の内側部分が内側に向って拡開するように曲げ成形して構成する手段を採用する。
【００１４】
前記課題を達成するために請求項５の発明は、請求項１に係る前記手段における誤挿入防止構造を、開放した端面の各張出しと架台の下面とに差渡し固定された封止板で構成する手段を採用する。
【００１５】
前記課題を達成するために請求項６の発明は、上面の中央に開放部を持ち、開放部の両側に平板態のパネル構造体における底面の外縁を受ける受け面を備えた長手方向の端面が開放した断面形状が略Ｃ型の架台に、開放した端面から二面の対向する脚の一端側が固定面で結合し、両脚の自由端側に外方へ張出すフランジを有する固定金具を、各フランジが架台の両受け面の背面に対向し、固定面と各脚の大半が架台の開放部から突出するように挿通し、固定金具の固定面に対向する押え部材を設けて両者間をねじ締結して、架台の受け面と押え部材とによりパネル構造体を挟持状態に固定するパネル構造体の固定装置に対して、
その架台の受け面の片方の背面に近接する位置に受け面に対向し、受け面の背面との間に固定金具の片方のフランジの挿通を許容する案内部を形成する一連の張出しを形成する手段を採用する。
【００１６】
前記課題を達成するために請求項７の発明は、上面の中央に開放部を持ち、開放部の両側に平板態のパネル構造体における底面の外縁を受ける受け面を備えた長手方向の端面が開放した断面形状が略Ｃ型の架台に、開放した端面から二面の対向する脚の一端側が固定面で結合し、両脚の自由端側に外方へ張出すフランジを有する固定金具を、各フランジが架台の両受け面の背面に対向し、固定面と各脚の大半が架台の開放部から突出するように挿通し、固定金具の固定面に対向する押え部材を設けて両者間をねじ締結して、架台の受け面と押え部材とによりパネル構造体を挟持状態に固定するパネル構造体の固定装置に対して、
その固定金具の各フランジの自由端側を下側に曲げて各フランジの端面形状をそれぞれアングル状に構成し、架台の各受け面の背面側に各受け面に対向し、受け面の背面との間に固定金具の各フランジの挿通を許容するアングル状の案内部を形成する一連の張出しを形成する手段を採用する。
【００１７】
前記課題を達成するために請求項８の発明は、上面の中央に開放部を持ち、開放部の両側に平板態のパネル構造体における底面の外縁を受ける受け面を備えた長手方向の端面が開放した断面形状が略Ｃ型の架台に、開放した端面から二面の対向する脚の一端側が固定面で結合し、両脚の自由端側に外方へ張出すフランジを有する固定金具を、各フランジが架台の両受け面の背面に対向し、固定面と各脚の大半が架台の開放部から突出するように挿通し、固定金具の固定面に対向する押え部材を設けて両者間をねじ締結して、架台の受け面と押え部材とによりパネル構造体を挟持状態に固定するパネル構造体の固定装置に対して、
その架台の各受け面の背面側に各受け面に対向し、受け面の背面との間に固定金具の各フランジの挿通を許容する案内部を形成する一連の張出しを形成し、この張出し上に張出しを跨ぐように補強板を挿入する手段を採用する。
【００１８】
前記課題を達成するために請求項９の発明は、上面の中央に開放部を持ち、開放部の両側に平板態のパネル構造体における底面の外縁を受ける受け面を備えた長手方向の端面が開放した断面形状が略Ｃ型の架台に、開放した端面から二面の対向する脚の一端側が固定面で結合し、両脚の自由端側に外方へ張出すフランジを有する固定金具を、各フランジが架台の両受け面の背面に対向し、固定面と各脚の大半が架台の開放部から突出するように挿通し、固定金具の固定面に対向する押え部材を設けて両者間をねじ締結して、架台の受け面と押え部材とによりパネル構造体を挟持状態に固定するパネル構造体の固定装置に対して、
その固定金具にフランジ間にわたり背面に突出するリブを形成し、架台の各受け面の背面側にその各受け面に対向し、受け面の背面との間に固定金具の各フランジの挿通を許容する案内部を形成する一連の張出しを形成する手段を採用する。
【００１９】
前記課題を達成するために請求項１０の発明は、上面の中央に開放部を持ち、開放部の両側に平板態のパネル構造体における底面の外縁を受ける受け面を備えた長手方向の端面が開放した断面形状が略Ｃ型の架台に、開放した端面から二面の対向する脚の一端側が固定面で結合し、両脚の自由端側に外方へ張出すフランジを有する固定金具を、各フランジが架台の両受け面の背面に対向し、固定面と各脚の大半が架台の開放部から突出するように挿通し、固定金具の固定面に対向する押え部材を設けて両者間をねじ締結して、架台の受け面と押え部材とによりパネル構造体を挟持状態に固定するパネル構造体の固定装置に対して、
その固定金具の固定面にねじ締結するためのねじ棒を立設し、このねじ棒端からのナット締めにより、押え部材を締結するように構成し、架台の各受け面の背面側にその各受け面に対向し、受け面の背面との間に固定金具の各フランジの挿通を許容する案内部を形成する一連の張出しを形成する手段を採用する。
【００２０】
【発明の実施の形態】
次に本発明の実施の形態を図面に基づいて説明する。
実施の形態１．
図１〜図１３はこの実施の形態１のパネル構造体の固定装置を示したものである。この固定装置は、太陽光発電に使用するソーラーモジュール等の平板態のパネル構造体１を屋根上等に設置する際に適用するものであり、固定ベースとなる架台２と、この架台２にパネル構造体１を固定するための固定金具３とを中核として構成されている。架台２は、図２に示すように断面形状（端面形状でもある）が上面の中央に開放部４を持つＣ型の角筒形状をした長尺のアルミの押出し成形材より構成され、両端面は開放している。架台２の開放部４により分断された上面は、パネル構造体１における外枠の底面を受ける二面の受け面５として構成され、これらの受け面５の開放部４側端にはパネル構造体１の側面に当接してこれを支持する立上り６が形成されている。この各受け面５を支持する対向する二面の高さ面７は平坦な下面８によって連結している。この両高さ面７の下端にはそれぞれ長手方向に連続する取付構造としてのフランジ９が一体に成形されている。各フランジ９は下面８を外方へ延長する形態に形成され、その肉厚は下面８の中央部分とともに他の部分より厚肉になっている。
【００２１】
架台２の各受け面５の背面に近接する位置には、その各受け面５に対向し、受け面５の背面との間に固定金具３を装着するための溝状の案内部１０を形成する一連の張出し１１が高さ面７の内面から内向きに張り出している。固定金具３は、二面の対向する脚１２の一端側が上面となる固定面１３で結合し、その両脚１２の自由端側に外方へ張出すフランジ１４を有する凸型形状の金具であり、その各フランジ１４を架台２の開放した端面から各案内部１０に挿通し、その固定面１３と各脚１２の大半が架台２の開放部４から突出するように架台２に装着される。固定金具３の固定面１３の背面中央には上側からのねじ込みが可能にナット１５が固着されている。固定金具３の各フランジ１４を挿通する案内部１０である隙間の間隔は、フランジ１４を挿通し易くするためと、押出し成形の金型の当該部の金型強度を保持するためにフランジ１４の肉厚より大きく設定されている。
【００２２】
固定金具３は架台２の開放した端部から必要個数を順次挿入して、それぞれ所定の箇所においてパネル構造体１の固定に供されるが、固定金具３のフランジ１４の片方のみが片側の案内部１０に係合し、他方のフランジ１４は張出し１１の下に外れてしまっているような正規でない誤った挿入状態になることがあり、この実施の形態の架台２はこれを防ぐべく、その開放した端面に固定金具３の各フランジ１４が案内部１０以外の位置に挿通されることを妨害する誤挿入防止構造１６が設けられている。
【００２３】
誤挿入防止構造１６は、構成が簡単で誤挿入を防止する効果があがればよく、種々の形態を採ることができる。その中で有効性の高い誤挿入防止構造１６としては、図２に示すように、張出し１１の張り出し長さを長くして、案内部１０の高さとの関係により固定金具３の片側のフランジ１４のみが案内部１０に係合するような傾いた固定金具３の姿勢では、他方のフランジ１４が他方の張出し１１の端面に当り、案内部１０へは挿入できない構成とすることである（図３参照）。この誤挿入防止構造１６は、端的には両張出し１１を結合させ隔壁とした構成と同様の誤挿入防止機能を果たす。ただし、架台２の内部に電気配線をすることが可能であることを前提としているため、隔壁で上下を離隔してしまうと、上面の開放部４を使って手際よく電気配線をすることができなくなるので、隔壁によるものは誤挿入防止構造１６としては除外する。
【００２４】
誤挿入防止構造１６は、この他にも図４に示すように架台２の開放した端面側の各張出し１１の端部をそれぞれ案内部１０の端が端面に向って拡開するように折曲げ、曲部１７を設けた構成とすることもできる。曲部１７自体は押出し成形では成形できないので後加工により形成することになるが、曲部１７の形成は困難な加工ではなく現場において加工することもできる。この誤挿入防止構造１６は、固定金具３のフランジ１４が案内部１０以外の箇所に挿入されることを妨害するというより、固定金具３のフランジ１４を正規の位置である案内部１０に曲部１７により案内して誤挿入を防止する機能を果たすものである。従って、固定金具３の誤挿入防止機能とともにその架台２への挿入をし易くする効果も奏する。
【００２５】
誤挿入防止構造１６は、この他にも図５に示すように架台２の各張出し１１の内側の自由端１８側をそれぞれの案内部１０の内側部分が内側に向って拡開するように曲げ成形した構成とすることもできる。固定金具３を傾いた姿勢で架台２の端面から挿通しようとしても、張出し１１の曲げられた自由端１８側の端面に固定金具３のフランジ１４が当ることになり、固定金具３の挿入は妨害され、誤挿入を防止する機能を果たすことになる。この誤挿入防止構造１６には、押出し成形が可能であることの他に、金型の両案内部１０を形出する部分の基部が必然的に厚肉になるため十分な金型強度が得られ、生産性も向上する利点がある。
【００２６】
誤挿入防止構造１６は、さらにこの他にも図６に示すように架台２の開放した端面の各張出し１１と架台２の下面８とに差渡し固定する封止板１９により構成することもできる。この誤挿入防止構造１６では、封止板１９により張出し１１の下側の空間が固定金具３のフランジ１４間の寸法より狭くなるので、固定金具３の挿入可能箇所は案内部１０のみとなり、固定金具３の誤挿入を防止する機能を果たすことになる。封止板１９は金属板でも簡易なプラスチック板でもよく、架台２に対する固定も簡易な手段で十分である。
【００２７】
上述した封止板１９による誤挿入防止構造１６の誤挿入を防止する機能は、架台２の断面形状に工夫を講じることによっても得ることができる。即ち、図７，８に示すように案内部１０に対応する箇所と下面８の幅が広く、高さ面７の中間部が固定金具３のフランジ１４間の寸法より小寸法に凹状２０に凹んだ断面形状の架台２とすれば、封止板１９による誤挿入防止構造１６と同様の誤挿入を防止する機能が得られる。
【００２８】
また、さらに他の誤挿入防止構造１６としては、図９，１０に示すような構成のものも適用することができる。即ち、架台２をその張出し１１が片方だけの構成とするものである。この構成によれば片方の案内部１０にしっかりと固定金具３のフランジ１４を挿入しないと、スライド移動させる際に固定金具３は架台２の内部の空間に落下してしまうため、誤挿入の防止が可能となる。張出し１１の内側の自由端１８を曲げた図１０のものは、案内部１０にしっかりと固定金具３のフランジ１４を挿入させる機能と、金型強度を高くできる利点がある。
【００２９】
これらの他にも、固定金具３の構造と架台２の構造とによって固定金具３の誤挿入を防止することもできる。例えば、図１１，１２に示す固定装置は、固定金具３の各フランジ１４の自由端側を下側に曲げて立上り２１を付けて各フランジ１４の端面形状をそれぞれアングル状に構成し、架台２の各受け面５の背面側に各受け面５に対向し、受け面５の背面との間に固定金具３の各フランジ１４の挿通を許容するアングル状の案内部１０を形成したものである。これにより、固定金具３の挿入の可能な姿勢は一意的に決定されることになるため固定金具３が誤挿入されることは回避される。また、図１３に示すように固定金具３のフランジ１４の両端を曲げて立上り２１を付けても上述した固定装置と同様の機能が得られる。
【００３０】
パネル構造体１の固定は、図１に示すように架台２を取付相手（屋根構造の瓦棒や垂木等）２２に上面を上にして瓦棒や垂木等に交差する横方向に取付金具２３や木ねじを使って複数列取付け、これらの架台２上に隣接する架台２同士を跨ぐように複数枚のパネル構造体１を敷き並べてパネル集合体として固定することにより行なわれる。個々のパネル構造体１は、何箇所かにおいて架台２の開放部４を覆う押え部材２４と架台２に挿通された固定金具３のフランジ１４により、ボルト２５の締めつけにより受け面５に締め固定される。ボルト２５は押え部材２４から固定金具３の固定面１３のナット１５にねじ嵌めされ締め増しされる。これにより、パネル構造体１は架台２上に固定され、架台２の開放部４は押え部材２４により閉止され、内部の空間に配索された電気配線も風雨から保護される。
【００３１】
実施の形態２．
この実施の形態２は、上記した実施の形態１で示した固定装置に強度アップを図る工夫を講じたものであり、基本的な構成は実施の形態１のものと同じである。従って、実施の形態１のものと同じ部分については実施の形態１のものと同じ符号を用い、それらについての説明は省略する。
【００３２】
この固定装置は、図１４，１５に示すように固定金具３の各フランジ１４の挿通を許容する案内部１０を利用して、架台２の固定金具３間の張出し１１上に張出し１１を跨ぐように案内部１０間の寸法の幅の補強板２６を挿入した構成である。補強板２６はアルミ板やその他の剛性のある板材により形成され、固定金具３の挿通に併行して行なわれる。Ｃ型断面の架台２は上面を分断する開放部４があるため、上部側の曲げ剛性は高くなく、降雪地域などでは積雪による荷重により撓みを生じたり、曲ったりすることもある。この固定装置の架台２は、簡単な構成で、装着操作も簡単な補強板２６により開放部４側が補強されるので、積雪等の荷重により撓みを生じたり、曲ったりすることはなくなる。また、固定金具３についても、そのフランジ１４間にわたり背面に突出する二条の連続したリブ２７を設けている。このリブ２７により固定金具３の座屈強度が増すうえ、架台２への挿入時にはリブ２７が架台２の張出し１１上を摺動することになるため、固定金具３の移動操作は円滑で容易なものとなり、固定作業の作業性が向上する。
【００３３】
実施の形態３．
この実施の形態３は、上記した実施の形態１，２で示した固定装置に固定作業の平易化を図る工夫を講じたものであり、基本的な構成は実施の形態１，２のものと同じである。従って、実施の形態１，２のものと同じ部分については実施の形態１，２のものと同じ符号を用い、それらについての説明は省略する。
【００３４】
図１６に示すこの固定装置は、固定金具３の固定面１３にねじ締結するためのねじ棒２８を垂立させて設け、このねじ棒２８端からのナット２９締めにより、押え部材２４を締結するように構成したものである。押え部材２４側から固定金具３の固定面１３のナット１５にボルト２５を嵌め合わせることは、押え部材２４で固定金具３が見えないため、結構面倒な作業となる。この固定金具３のようにねじ棒２８が突出していれば、押え部材２４の孔にねじ棒２８を挿通し、その上からナット２９を締めれば済むため、パネル構造体１の固定作業は至って容易になり作業性も改善される。
【００３５】
【発明の効果】
以上説明したとおり、請求項１から請求項７までの各発明によれば、内部に電気配線を収めることができる利点を持つ端面形状がＣ型の架台と固定金具を使ったパネル構造体の固定装置の固定金具の誤挿入を回避し、作業性の良いものに改善することができる。
【００３６】
請求項８の発明によれば、端面形状がＣ型の架台と固定金具を使ったパネル構造体の固定装置の強度アップを推進することができる。
【００３７】
請求項９の発明によれば、端面形状がＣ型の架台と固定金具を使ったパネル構造体の固定装置における固定金具の強度と操作性を改善することができる。
【００３８】
請求項１０の発明によれば、端面形状がＣ型の架台と固定金具を使ったパネル構造体の固定装置の固定作業の平易化を推進することができる。
【図面の簡単な説明】
【図１】実施の形態１のパネル構造体の固定装置を示す斜視図である。
【図２】実施の形態１のパネル構造体の固定装置を固定状態で示す端面図である。
【図３】実施の形態１のパネル構造体の固定装置の機能を示す端面図である。
【図４】実施の形態１のパネル構造体の固定装置における誤挿入防止構造の一例を示す斜視図である。
【図５】実施の形態１のパネル構造体の固定装置における誤挿入防止構造の一例を示す斜視図である。
【図６】実施の形態１のパネル構造体の固定装置における誤挿入防止構造の一例を示す端面図である。
【図７】実施の形態１のパネル構造体の固定装置における誤挿入防止構造の一例を示す架台の端面図である。
【図８】実施の形態１のパネル構造体の固定装置における誤挿入防止構造の一例を示す架台の端面図である。
【図９】実施の形態１のパネル構造体の固定装置における誤挿入防止構造の一例を示す端面図である。
【図１０】実施の形態１のパネル構造体の固定装置における誤挿入防止構造の一例を示す端面図である。
【図１１】実施の形態１のパネル構造体の固定装置における誤挿入防止構造の一例を示す固定金具の端面図である。
【図１２】図１１の固定金具に対する架台の構成を示す端面図である。
【図１３】実施の形態１のパネル構造体の固定装置における誤挿入防止構造の一例を示す斜視図である。
【図１４】実施の形態２のパネル構造体の固定装置を示す端面図である。
【図１５】実施の形態２のパネル構造体の固定装置を示す斜視図である。
【図１６】実施の形態３のパネル構造体の固定装置を示す端面図である。
【図１７】従来のソーラーモジュールの固定装置を固定状態で示す断面図である。
【図１８】従来のパネル構造体の固定装置を固定状態で示す端面図である。
【図１９】従来のパネル構造体の固定装置における固定金具の誤挿入状態を示す端面図である。
【符号の説明】
１  パネル構造体、  ２  架台、  ３  固定金具、  ４  開放部、  ５  受け面、  １０  案内部、  １１  張出し、  １２  脚、  １３  固定面、  １４  フランジ、  １６  誤挿入防止構造、  ２４  押え部材、  ２５  ボルト、  ２６  補強板、  ２７  リブ、  ２８  ねじ棒、  ２９  ナット。
【図１】
0003550950.tif 000002
【図２】
0003550950.tif 000003
【図３】
0003550950.tif 000004
【図４】
0003550950.tif 000005
【図５】
0003550950.tif 000006
【図６】
0003550950.tif 000007
【図７】
0003550950.tif 000008
【図８】
0003550950.tif 000009
【図９】
0003550950.tif 000010
【図１０】
0003550950.tif 000011
【図１１】
0003550950.tif 000012
【図１２】
0003550950.tif 000013
【図１３】
0003550950.tif 000014
【図１４】
0003550950.tif 000015
【図１５】
0003550950.tif 000016
【図１６】
0003550950.tif 000017
【図１７】
0003550950.tif 000018
【図１８】
0003550950.tif 000019
【図１９】
0003550950.tif 000020